(57)【要約】【課題】移送中の合成樹脂製ボトルの向きが不揃いになることによりラベルを装着した際の見栄えに差異が生じることと、これを回避するために作業が煩雑になることを解決することを目的とする。【解決手段】本発明に従うPETボトルは、内容物を充填する胴部13に繋がる口部11を有し、この口部11に環状のネックリング1を形成してなる。ネックリング1には、位置合わせ冶具に係合して胴部13の向きを一定方向に規制する凹部2を設ける。この凹部2は、ネックリング1の裏面1fを起点にして傾斜する一端3aを有する案内面3と、この案内面3の他端3bとネックリング1の表面1fとの間に位置合わせ冶具との突き当り面4を形成する段差とからなる。【選択図】図２
2007223666.tif 000002
【特許請求の範囲】
【請求項１】
内容物を充填する胴部に繋がる口部を有し、この口部の下部に環状のフランジ部を形成してなる合成樹脂製ボトルにおいて、
前記フランジ部に、ボトルの位置合わせ冶具に係合して胴部の向きを一定方向に規制する凹部を設け、
この凹部が、前記フランジ部の表面を起点にして傾斜する一端を有する案内面と、この案内面の他端と前記フランジ部の表面との間に前記位置合わせ冶具との突き当り面を形成する段差とからなることを特徴とする合成樹脂製ボトル。
【請求項２】
前記傾斜面を、フランジ部の周方向に沿って形成した請求項１に記載の合成樹脂製ボトル。
【請求項３】
前記傾斜面を、口部の中心軸を挟んだ対向縁にそれぞれ、前記ボトルの軸心に向かって形成した請求項１に記載の合成樹脂製ボトル。
【発明の詳細な説明】
【技術分野】
【０００１】
本発明は、胴部の向きを一定方向に規制した状態で、種々の作業を行うことができる合成樹脂製ボトルに関するものである。
【背景技術】
【０００２】
ＰＥＴボトル等の合成樹脂製ボトルには、商品名やデザイン等を施したラベルを胴部に装着して装飾を施したものがあり、ラベルの一例としては、ボトルを内側に入れ込んで熱収縮させる筒状のシュリンクラベルがある（例えば、特許文献１参照。）。
【特許文献１】特開２００４−２５００４０号公報
【０００３】
一方、耐熱性を有するボトルは、その胴部に減圧吸収パネルが設けられているため、商品名等の文字や図形等のデザインを施した表示部分が減圧吸収パネル上であるか、当該パネルを区画する柱上であるかによって、その見栄えが大きく変わってしまう。
【０００４】
これに対し、従来の合成樹脂製ボトルには、移送ラインで吊り下げたボトルにスクリューキャップを装着するに際し、その回り止めを目的としてネックリングの裏面に平坦な底面を有する凹部を形成し、この凹部を吊り下げ冶具の凸部に係合させるものがある（例えば、特許文献２参照。）。
【特許文献１】特許第３６１４４７３号公報
【発明の開示】
【発明が解決しようとする課題】
【０００５】
しかしながら、こうした従来ボトルは、そのネックリングに設けた凹部が単なるボトルの回り止めを目的とするため、ボトルの胴部の向きが不揃いになるという問題が依然解消されていない。
【０００６】
本発明の解決すべき課題は、合成樹脂製ボトルの向きが不揃いになることによりラベルを装着する際の見栄えに差異が生じることと、これを回避するために作業が煩雑になることにある。
【課題を解決するための手段】
【０００７】
本発明は、内容物を充填する胴部に繋がる口部を有し、この口部の下部に環状のネックリングを形成してなる合成樹脂製ボトルにおいて、前記ネックリングに、ボトルの位置合わせ冶具に係合して胴部の向きを一定方向に規制する凹部を設け、この凹部が、前記フランジ部の表面を起点にして傾斜する一端を有する案内面と、この案内面の他端と前記フランジ部の表面との間に前記位置合わせ冶具との突き当り面を形成する段差とからなることを特徴とするものである。
【０００８】
本発明は、前記傾斜面を、フランジ部の周方向に沿って形成することができる。また、本発明は、前記傾斜面を、口部の中心軸を挟んだ対向縁にそれぞれ、前記ボトルの軸心に向かって形成することもできる。
【発明の効果】
【０００９】
本発明ボトルは、そのフランジ部に、位置合わせ冶具に係合して胴部の向きを一定方向に規制する凹部を設けたから、フランジ部を位置合わせ冶具に係合させれば、その胴部の向きが常に一定方向に揃った状態で各ボトルに対して作業を行うことができる。
【００１０】
従って、本発明によれば、ボトルの向きを適切な方向に変える等の煩雑な作業を行うことなく、常に見栄えの良い位置にラベルを装着させたボトルを生産することができる。
【００１１】
また、本発明ボトルに係る凹部は、フランジ部の表面を起点として傾斜する案内面を有するため、無理の無いスムースな位置合わせが可能となる。
【発明を実施するための最良の形態】
【００１２】
以下、図面を参照して、本発明の合成樹脂製ボトルを詳細に説明する。
【００１３】
図１は、本発明に従う耐熱性を有するＰＥＴ（ポリエチレンテレフタレート）製のボトルを示す側面図である。
【００１４】
ＰＥＴボトルは、口部11、肩部12、胴部13及び底部14が一体に繋がる二軸延伸ブロー成形ボトルであり、口部11の下方部分に環状のフランジ部（以下、「ネックリング」という。）1を形成してなり、胴部13は、その周りに複数の減圧吸収パネル13aを有し、この減圧吸収パネル13aはそれぞれ複数の柱13bで区画されている。
【００１５】
図2(a),(b)はそれぞれ、図1の肩部12を示す拡大側面図及び、ネックリング1の裏面1fを示す背面図である。
【００１６】
図2において、符号2は、口部11を挟んだ対向縁それぞれに配置され、位置合わせ冶具に係合して胴部13の向きを一定方向に規制する凹部である。
【００１７】
凹部2は、図2(b)に示すように、ネックリング1の外縁1eからその周方向に沿って延在し、図2(a)に示すように、ネックリング1の裏面1fを起点にして傾斜する一端3aを有する案内面3と、この案内面3が周方向に沿って徐々に深くなってその最深部分となる他端3bとネックリング1の裏面1fとの間に位置合わせ冶具に形成した凸部との突き当り面4を形成する段差とからなる。
【００１８】
凹部2は、ボトルをブロー成形する前のプリフォームの段階で設けられる。具体例としては、プリフォームを射出成形する工程で一体に形成する。そして、ボトルの胴部13との位置関係は、ボトルをブロー成形する段階で決定する。即ち、上記プリフォームをブロー金型に配置する際、柱13bを成形する金型の部分とプリフォームに予め成形した凹部2との位置合わせを行う。この位置合わせが完了した後、ブロー金型内のプリフォームをブローすれば、胴部13に減圧吸収パネル13aと柱13bとを有するボトルが成形されると共に、この柱13bと凹部2との位置関係は常に一定となる。
【００１９】
ボトルの胴部13にシュリンクラベルを装着する場合には、先ず、口部11の両側から接近した2つの位置合わせ冶具上にそれぞれ、ネックリング1の裏面1fを載置してボトルを把持する。次いで、ボトルを軸心Ｏ周りに回転させると、かかるボトルは、位置合わせ冶具の凸部が突き当り面4に当接する位置で停止し、ボトルの胴部13が常に、図1に示すような方向を向くように位置合わせされる。この状態で位置合わせ冶具を外すと、ボトルは位置合わせ冶具で固定された向きのままライン上を流れるため、筒状のシュリンクラベルをボトルの口部11側から胴部13の外側に被せれば、常にシュリンクラベルに施された商品名等の文字や図形等のデザインを施した表示部分を減圧吸収パネル14a上に位置合わせすることができる。従って、このまま加熱処理を行えば、減圧吸収パネル13a上に表示部分を配置した状態のままシュリンクラベルを装着できる。尚、シュリンクラベルは表示部分が常に一定方向となるように供給されるのが一般的である。
【００２０】
即ち、かかるＰＥＴボトルは、そのネックリング1に、位置合わせ冶具に係合して胴部13の向きを一定方向に規制する凹部2を設けたから、ネックリング2を位置合わせ冶具に係合させれば、その胴部13の向きを例えば、常に減圧吸収パネル13aが作業側の正面になる方向に揃った状態とすることもできる。
【００２１】
また、凹部2は、ネックリング1の裏面1fを起点として傾斜する案内面3を有するため、無理の無いスムースな位置合わせが可能となる。なお、本形態では、シュリンクラベルを口部11側から被せているが、ボトルを位置合わせ冶具で把持したまま底部14側から被せてもよい。また、凹部2を口部11を挟んだネックリング1の両側２箇所に設けたが、少なくとも一箇所であればよい。
【００２２】
本発明に従うボトルには、他の形態が存在する。
【００２３】
図3(a),(b)はそれぞれ、図1を参照して、本発明に従うＰＥＴボトルの他の形態をその肩部12で示す拡大側面図及び、ネックリング1の裏面1fを示す背面図である。なお、以下の説明において、図1,2と同一部分は、同一符号をもってその説明を省略する。
【００２４】
図3において、凹部5は、図3(b)に示すように、口部11の中心軸（ボトル軸心Ｏ）を挟んだネックリング1の対向縁にそれぞれ、互いに並行に延在し、図3(a)に示すように、ネックリング1の裏面1fの外縁1eに当たる部分を起点にして傾斜する一端6aを有する案内面6と、この案内面6がボトル軸心Ｏに向かって徐々に深くなってその最深部分となる他端6bとネックリング1の裏面1fとの間に位置合わせ冶具に設けた凸部との突き当り面7を形成する段差とからなる。従って、突き当り面7はそれぞれ、ボトル軸心Ｏを含む平面Ｆ（図1では、軸心Ｏから図面に対して直交する面）に対して並行になる。
【００２５】
本形態も先の形態と同様の方法で、ボトルの胴部13にシュリンクラベルを装着することができる。なお、本形態でも、凹部5を口部11の中心軸を挟んだネックリング1の両側２箇所に設けたが、少なくとも一箇所であればよい。
【００２６】
上述したところは本発明の好適な形態を説明したものであるが、請求の範囲内で種々の変更を加えることができる。例えば、本発明に従うボトルは耐熱性を有するものに限定されない。従って、ボトルの原料もＰＥＴに限定されるものではない。また、ボトルの形状についても限定されず、角形ボトル等であってもよい。更に、ボトルに装着するラベルはシュリンクラベルに限らず、帯状のシールラベルや伸縮性を有するストレッチラベル等であってもよい。各形態の要素は用途に応じてそれぞれ組み合わせて使用することができる。
【産業上の利用可能性】
【００２７】
本発明に係る合成樹脂製ボトルは、飲料容器、薬品容器等に用いることができる。
【図面の簡単な説明】
【００２８】
【図１】本発明に従うＰＥＴボトルを示す側面図である。
【図２】(a),(b)はそれぞれ、本発明に従うＰＥＴボトルの一形態を図1の口部で示す拡大側面図及び、そのネックリングの裏面を示す背面図である。
【図３】(a),(b)はそれぞれ、本発明に従うＰＥＴボトルの他の形態を図1の口部で示す拡大側面図及び、そのネックリングの裏面を示す背面図である。
【符号の説明】
【００２９】
１  ネックリング
２  凹部
３  案内面
3a  案内面一端
3a  案内面他端
４  突き当り面
５  凹部
６  案内面
6a  案内面一端
6a  案内面他端
７  突き当り面
11  口部
12  肩部
13  胴部
14  底部
【図１】
2007223666.tif 000003
【図２】
2007223666.tif 000004
【図３】
2007223666.tif 000005